(57)【要約】【課題】透光性のシートを容易に着脱することができ、長期間繰り返して使用できると共に、行事の種類や用途等に応じて意匠を変化させて楽しむことが可能な照明具を提供する。【解決手段】照明具１は、上枠部１１、下枠部１２、及び側柱１３により構成された多角柱状の枠体１０と、透光性シートで筒状に形成された第一透光部、及び透光性シートで略矩形に形成された第二透光部の少なくとも何れか一方と、下枠部の内周に沿って凹状に形成され、第一透光部を着脱自在に保持可能な第一保持部３１と、上枠部に上下に貫通して形成されたスリット部３２ａ、隣り合う側柱のそれぞれの内側に対向して形成されると共にスリット部と連通したスライド溝部３２ｂ、及び下枠部の上面により構成され、第二透光部を着脱自在に保持可能な第二保持部と、下枠部に取り付けられ、光源を載置可能な底板部４０とを具備する。【選択図】図１
0003127835.tif 000002
【実用新案登録請求の範囲】
【請求項１】
上枠部、下枠部、及び側柱により構成された多角柱状の枠体と、
透光性シートで筒状に形成された第一透光部、及び透光性シートで略矩形に形成された第二透光部の少なくとも何れか一方と、
前記下枠部の内周に沿って凹状に形成され、前記第一透光部を着脱自在に保持可能な第一保持部と、
前記上枠部に上下に貫通して形成されたスリット部、隣り合う前記側柱のそれぞれの内側に対向して形成されると共に前記スリット部と連通したスライド溝部、及び前記下枠部の上面により構成され、第二透光部を着脱自在に保持可能な第二保持部と、
前記下枠部に取り付けられ、光源を載置可能な底板部と
を具備することを特徴とする照明具。
【請求項２】
前記第二透光部は、重ね合わされた二枚の透光性シートにより構成され、少なくとも一辺に沿って閉じていると共に少なくとも一辺に沿って開放していることを特徴とする請求項１に記載の照明具。
【請求項３】
前記枠体に対して着脱自在に設けられ、前記上枠部の開口部を被覆可能な屋根部と、
前記枠体及び前記屋根部の少なくとも何れか一方に取り付けられ、吊り下げ具を係止可能な係止部材と
を更に具備することを特徴とする請求項１または請求項２に記載の照明具。
【請求項４】
上枠部、下枠部、及び側柱により構成された多角柱状の枠体と、
透光性シートで筒状に形成された第一透光部、及び透光性シートで略矩形に形成された第二透光部の少なくとも何れか一方と、
前記下枠部の内周に沿って凹状に形成され、前記第一透光部を着脱自在に保持可能な第一保持部と、
前記上枠部に上下に貫通して形成されたスリット部、隣り合う前記側柱のそれぞれの内側に対向して形成されると共に前記スリット部と連通したスライド溝部、及び前記下枠部の上面により構成され、第二透光部を着脱自在に保持可能な第二保持部と、
前記枠体を載置する枠体載置台と、
該枠体載置台を回転させるモータと、
前記枠体載置台の上面に設けられ、前記枠体を保持する枠体保持部と、
該枠体保持部に保持された前記枠体の内部に位置するように、前記枠体載置台の上面に設けられた光源と
を具備することを特徴とする照明具。
【考案の詳細な説明】
【技術分野】
【０００１】
本考案は、照明具に関するものであり、特に、地域のお祭りや神社仏閣の祭礼での使用に適した照明具に関するものである。
【背景技術】
【０００２】
従来より、地域のお祭りや神社仏閣の祭礼等の行事では、木製や金属製の枠体に、和紙や樹脂フィルム等の透光性のシートを張り、内部にろうそくや電球などの光源を配した照明具（灯ろう、提灯、行灯等）が使用されている。
【考案の開示】
【考案が解決しようとする課題】
【０００３】
このような照明具は、枠体に張られたシートに、その行事や季節に適した図柄が施され、或いは、行事のスポンサーや寄進者の氏名、名称等が記されているため、次の行事に再び使用するには適さないものである。また、屋外で使用されることも多いため、風雨などによって、和紙や樹脂フィルム等のシートが汚れたり破れたりすることも多い。ところが、枠体から和紙や樹脂フィルム等のシートを剥がし、新しいシートに張り替えることは、手間がかかり、極めて煩雑である。そのため、従来の照明具は、お祭りや祭礼などが終了すると、破棄されてしまうのが通常であった。また、風雨等により汚損しても、行事の期間中はそのまま使用されるのが通常であった。
【０００４】
しかしながら、短期間使用しただけの照明具を破棄することは、資源の無駄であった。また、お祭り等の行事では大量の照明具が使用されるため、廃棄のための手間や費用がかかるという問題があった。更に、行事の度ごとに、新しい照明具を用意することは、費用が嵩むという問題があった。加えて、汚損した照明具を、行事の期間中そのまま使用し続けることは、大変見栄えの良くないものであった。
【０００５】
そこで、本考案は上記の実情に鑑み、透光性のシートを容易に着脱することができ、長期間繰り返して使用できると共に、行事の種類や用途等に応じて意匠を変化させて楽しむことが可能な照明具の提供を課題とするものである。
【課題を解決するための手段】
【０００６】
上記の課題を解決するため、本考案に係る照明具は、「上枠部、下枠部、及び側柱により構成された多角柱状の枠体と、透光性シートで筒状に形成された第一透光部、及び透光性シートで略矩形に形成された第二透光部の少なくとも何れか一方と、前記下枠部の内周に沿って凹状に形成され、前記第一透光部を着脱自在に保持可能な第一保持部と、前記上枠部に上下に貫通して形成されたスリット部、隣り合う前記側柱のそれぞれの内側に対向して形成されると共に前記スリット部と連通したスライド溝部、及び前記下枠部の上面により構成され、第二透光部を着脱自在に保持可能な第二保持部と、前記下枠部に取り付けられ、光源を載置可能な底板部とを」具備するものである。
【０００７】
「枠体」は、上方、下方、及び側方に開口して、照明具の骨組みとなる構造体であり、上枠部及び下枠部によってそれぞれ上方及び下方の開口部が構成され、上枠部と下枠部とを連結する側柱の隣り合う二つによって側方の開口部が構成される。また、「多角柱状」は、例えば、四角柱状、三角柱状、五角柱状とすることができる。
【０００８】
「第一透光部」は筒状に形成されて枠体の内部に配され、一つの照明具に対して一つ設けることができる。一方、「第二透光部」は、隣り合う二つの側柱の間に配され、最大で、多角柱状の枠体の側面の数だけ設けることができる。また、第一透光部及び第二透光部を構成する「透光性シート」は、光を透過させることができれば透明である必要はなく、和紙、樹脂シート、布を例示することができる。
【０００９】
「光源」としては、ろうそく、電球、発光ダイオード、灯心を立てた油皿、アルコールランプ等を使用可能である。また、チューブライト（ロープライト）を使用すれば、低電圧で発熱しにくいと共に、形を作り易いため、光源自体の形状に意匠性を持たせたり、透光性シートの裏側から配して、シートに施された意匠の効果を高めることも可能な利点がある。なお、本発明の「底板部」は「光源を載置可能」な構成であるが、必ずしも底板部に光源を設置する必要はない。例えば、枠体の上方から、紐やチェーンを使用して光源を枠体内部に吊り下げたり、チューブライトを垂下させたりすることもできる。
【００１０】
従って、本考案によれば、「第一透光部」及び「第二透光部」が、着脱自在に構成されるため、この部分のみを容易に取り外し、再び容易に取り付けることができる。これにより、行事や季節に合った図柄を施した透光性シートへの取り替えや、スポンサーや寄進者の氏名等を記したシートの入れ替えを、容易に行うことができ、一つの照明具で種類や性質の異なる行事に対応することが可能となる。また、長期間繰り返して使用することができるため、資源の無駄や新たな投資の必要性を低減し、廃棄のコストや手間を削減することができる。加えて、風雨等により透光性シートが傷んだり汚れたりした場合にも、容易に取り外して、新しいシートへの取替えや修理を行い、或いは洗浄可能な素材の透光性シートであれば洗浄を行うことにより、行事の期間中見栄えの良い状態を維持することが可能となる。
【００１１】
更に、第一透光部及び第二透光部をそれぞれ保持可能な第一保持部及び第二保持部を、共に具備するため、二つの透光部のいずれか一方を使用することも、両方を使用することもでき、照明具の意匠について、使用者の選択性が高いものとなる。例えば、一種類の透光性シートを筒状に形成して第一透光部とすることも、複数種類の透光性シートを連結して筒状に形成し第一透光部とすることも、複数種類の透光性シートのそれぞれで第二透光部を構成させることもできる。
【００１２】
また、第一透光部及び第二透光部を共に使用する際は、両者が重畳して配されることとなるため、例えば、それぞれに施された模様の干渉作用を利用して、見る角度によって異なる模様を浮き上がらせることもできる。或いは、第二透光部を透明な樹脂製のシートとすることにより、第二透光部によって風雨を防ぎ、第一透光部の汚れや傷みを防止する保護的な役割を奏させることができる。この場合は、水彩画や墨書など風雨などによってダメージを受けやすい素材を、安心して第一透光部に使用することが可能となる。
【００１３】
また、本考案による照明具は、「前記第二透光部は、重ね合わされた二枚の透光性シートにより構成され、少なくとも一辺に沿って閉じていると共に少なくとも一辺に沿って開放している」ものとすることができる。
【００１４】
「第二透光部」は、二枚の透光性シートを重ね合わせ、少なくとも一辺に沿って、融着、接着、縫着等によって一体化することにより形成することができる。融着等する辺は、略矩形の第二透光部の四辺の内の一辺、対向する一対の二辺、隣接する二辺、三辺の何れかとすることができる。これにより、開放している辺から二枚の透光性シートの間に何かをはさみ込むことができ、閉じている辺によってその物が落脱することなく保持される。
【００１５】
従って、本考案によれば、二枚の透光性シートの間にはさみ込むことにより、多様な素材を照明具に使用することが可能となる。例えば、透明な二枚の樹脂シートで形成された第二透光部に、切り絵細工、落ち葉、押し花などをはさみ込むことができる。また、それのみでは第一透光部や第二透光部を構成できないような、小さなサイズの絵画や墨書などをはさみ込むこともできる。このように、二枚のシートの間にはさみ込み、或いは取り外すという極めて容易な操作により、使用者の創意工夫を凝らした、種々のデザインを楽しむことが可能な照明具となる。
【００１６】
また、本考案による照明具は、上記構成に加え、「前記枠体に対して着脱自在に設けられ、前記上枠部の開口部を被覆可能な屋根部と、前記枠体及び前記屋根部の少なくとも何れか一方に取り付けられ、吊り下げ具を係止可能な係止部材とを」具備するものとすることができる。
【００１７】
「係止部材」は、照明具を吊り下げるためのワイヤ、紐、鎖等の「吊り下げ具」を照明具に対して取り付けるための部材であり、例えば、環状の構成とすることにより、吊り下げ具自体を挿通させて係止させ、或いは、吊り下げ具の端部に取り付けられたフックやカラビナ等の係止具と係合させることができる。また、吊り下げ具がその端部に環状の構成を有する場合は、これと係合可能なフック等で係止部材を構成することもできる。
【００１８】
従って、本考案によれば、屋根部を設けることにより、屋外で照明具を使用する場合であっても、降雨などによって汚損する恐れを低減することができる。また、屋根部を枠体に対して着脱自在とすることにより、第一透光部や第二透光部の取り付けや取外しに支障をきたさないものとなっている。加えて、係止部材を具備することにより、吊り下げた使用にも適した照明具となる。
【００１９】
次に、本考案による照明具は、「上枠部、下枠部、及び側柱により構成された多角柱状の枠体と、透光性シートで筒状に形成された第一透光部、及び透光性シートで略矩形に形成された第二透光部の少なくとも何れか一方と、前記下枠部の内周に沿って凹状に形成され、前記第一透光部を着脱自在に保持可能な第一保持部と、前記上枠部に上下に貫通して形成されたスリット部、隣り合う前記側柱のそれぞれの内側に対向して形成されると共に前記スリット部と連通したスライド溝部、及び前記下枠部の上面により構成され、第二透光部を着脱自在に保持可能な第二保持部と、前記枠体を載置する枠体載置台と、該枠体載置台を回転させるモータと、前記枠体載置台の上面に設けられ、前記枠体を保持する枠体保持部と、該枠体保持部に保持された前記枠体の内部に位置するように、前記枠体載置台の上面に設けられた光源とを」具備するものであってもよい。
【００２０】
「枠体保持部」は、枠体載置台を回転させた際に、載置された枠体が外れたり、がたついたりしないよう安定的に保持するための構成である。例えば、下枠部より僅かに大きな形状の底面を有する凹状に形成し、ここに枠体を挿脱可能に嵌め込むものとすることができる。或いは、面ファスナー等により両端部の係合及び解除が可能なベルト状に枠体保持部を形成し、枠体を締結することにより枠体載置台に対して固定するものとすることができる。
【００２１】
従って、本考案によれば、枠体を載置すると共に回転可能な枠体載置台を具備することにより、第一透光部や第二透光部に施された図柄や模様等の意匠の、回転による変化を楽しむことのできる照明具となる。また、回転状態と静止状態との切り替えを行うことにより、異なる雰囲気を楽しむことができる照明具となる。
【考案の効果】
【００２２】
以上のように、本考案の効果として、透光性のシートを容易に着脱することができ、長期間繰り返して使用できると共に、行事の種類や用途等に応じて意匠を変化させて楽しむことが可能な照明具を提供することができる。
【考案を実施するための最良の形態】
【００２３】
以下、本考案を実施するための最良の一実施形態である照明具について、図１乃至図４に基づいて説明する。ここで、図１は本実施形態の照明具の概略構成を示す斜視図であり、図２（ａ）は図１の照明具のＡ−Ａ断面図であり、図２（ｂ）は上枠部の平面図であり、図２（ｃ）は下枠部の底面図であり、図３（ａ）及び図３（ｂ）は第一透光部を示す斜視図であり、図４は図１の照明具の分解斜視図であり、図５は本考案の照明具の他の実施形態を示す分解斜視図である。
【００２４】
本実施形態の照明具１は、主に図１に示すように、上枠部１１、下枠部１２、及び側柱１３により構成された多角柱状の枠体１０と、透光性シートで筒状に形成された第一透光部２１、及び透光性シートで略矩形に形成された第二透光部２２の少なくとも何れか一方と、下枠部１２の内周に沿って凹状に形成され、第一透光部２１を着脱自在に保持可能な第一保持部３１と、上枠部１１に上下に貫通して形成されたスリット部３２ａ、隣り合う側柱１３のそれぞれの内側に対向して形成されると共にスリット部３２ａと連通したスライド溝部３２ｂ、及び下枠部１２の上面により構成され、第二透光部２２を着脱自在に保持可能な第二保持部と、下枠部１２に取り付けられ、光源を載置可能な底板部４０とを具備している。また、照明具１は、更に、枠体１０に対して着脱自在に設けられ、上枠部１１の開口部を被覆可能な屋根部５０と、枠体１０及び屋根部５０の少なくとも何れか一方に取り付けられ、吊り下げ具を係止可能な係止部材５１とを具備している。なお、図１では、構成を明確化するため、第一透光部２１及び第二等孔部２２については図示を省略している（第一透光部２１については図３を、第二透光部２２については図４を参照）。
【００２５】
より詳細に説明すると、枠体１０は、木製の角材を組み付けることにより、四角柱状に構成され、上枠部１１及び下枠部１２は井桁状に形成されている。ここで、本実施形態では、角材同士の組み付けには、竹釘を使用しているが、ダボ打ちや組接ぎ、或いは金属釘を用いても良い。また、下枠部１２は、図２（ａ）に図１のＡ−Ａ断面図を示すように、下枠体１２ａの内側に内枠体１２ｂが接着されて形成されており、内枠体１２ｂの上面に、下枠部内周１２ｃに沿うように凹状の第一保持部３１が設けられている。なお、下枠部１２は、一体的に形成されるものであっても構わない。
【００２６】
上枠部１１には、平面図を図２（ｂ）に示すように、組み付けられたそれぞれの角材の長手方向に沿って上下に貫通するスリット部３２ａが設けられている。ここで、スリット部３２ａは、角材同士の組み付けのために竹釘を打つ余地部分を残しつつ、側柱１３の内側面の延長線Ｅより端部まで延ばされている。そして、側柱１３の側面には、スリット部３２ａが線Ｅを越えて端部まで延ばされている長さに相当する深さを有するスライド溝部３２ｂが、隣接する側柱１３間で対向するように設けられている。これにより、スリット部３２ａとスライド溝部３２ｂが連通し、スリット部３２ａから挿入した第二透光部２２を、スライド溝部３２ｂに沿ってスライドさせることが可能な構成となっている。このような構成のスリット部３２ａ、スライド溝部３２ｂ、及び下枠部１２の上面により第二保持部が構成されるが、本実施形態では更に、下枠部１２の上面にスリット部３２ａと対向する凹状の下枠溝部３２ｃが形成されている。
【００２７】
底板部４０は、図２（ｃ）に示すように、下枠部１２の内方に丁度嵌め込まれる大きさの板状に形成され、その一辺が取付部材４１を介して下枠部１２の内側の一辺４２に取り付けられている。ここで、本実施形態の取付部材４１は、カンバス地などの厚手の布地片であり、一端側が底板部４０に接着されると共に、他端側が下枠部１２に接着されている。これにより、底板部４０は辺４２に沿って回動し、下枠部１２の開口部を覆う閉位置と、開口部を開放する開位置に変位する。そして、下枠部１２の辺４２と対抗する辺には、軸Ｐ周りに回転して底板部４０を閉位置に固定する固定具４３が取り付けられている。また、本実施形態では、光源としてろうそくを使用しており、底板部４０には、ほぼ中央にろうそくを立てるためのピン４５が設けられ、その外側には空気の流通を促進するための通気孔４８が設けられている。なお、取付部材４１として、厚布片に替えて蝶番を使用することもできる。
【００２８】
屋根部５０は、二枚の木製の平板が厚布片（図示しない）で連結され、山形を形成すると共に、折りたたみ自在な構成とされている。この厚布片は、防水スプレー剤を噴霧する等により、防水処理を施すことが望ましい。また、係止部材５１は、竹を細工することにより、環状の頭部を有するアイボルト状の構成とされており、屋根部５０及び上枠部１１にそれぞれ穿設された孔部５５，５６に挿通したのち、ナット状の係止受具５２で締結される。なお、本実施形態の係止部材５１は、上記のように竹を細工して作製しているため、彫刻を施すことにより、屋根部５０の装飾を兼ねさせることができる。例えば、係止部材５１に、屋根に鳥がとまっているかのような彫刻を施すことができる。
【００２９】
第一透光部２１は、図３（ａ）に示すように、第一保持部３１の各辺とほぼ等しい長さの辺で構成される略矩形の断面を有する筒状に形成される。例えば、厚みのある和紙など、折り曲げることにより自立可能な透光性シートの場合は、折り曲げてから端部同士を接着等して、第一透光部２１を構成させることができる。また、複数枚の透光性シートで一つの第一透光部２１を構成させる場合や、布や薄い樹脂フィルムなど自立できない透光性シートで第一透光部２１を構成させる場合は、図３（ｂ）に示すようなフレーム２１ｆを使用することができる。なお、フレーム２１ｆは、展開可能な構成としても良い。
【００３０】
第一透光部２１を構成する透光性シートとしては、お祭りや祭礼等の行事にあわせた図柄やスポンサーの名称等の文字を印刷した和紙や樹脂シートの他、使用者がそれぞれの創意工夫により、絵画、墨書、ちぎり絵等を施した和紙、刺繍を施した布地、デザイン画をインクジェット印刷した樹脂シート等を使用することができる。
【００３１】
第二透光部２２は、本実施形態では、二枚の透明な略矩形の樹脂シートを重ね合わせ、それぞれの一辺を融着した複葉第二透光部２２ａと、一枚の透明な略矩形の樹脂シートで構成された単葉第二透光部２２ｂとを具備している。
【００３２】
次に、本実施形態の照明具１の使用方法について説明する。第一透光部２１を使用するときは、まず、屋根部５０を外した状態で、枠体１０の上方の開口部から第一透光部２１を挿入し、その下端を第一保持部３１に嵌め込んで保持させる。このとき、第一保持部３１の適宜の位置をクリップ、画鋲、テープ等で枠体１０に留め付け、保持状態を安定させても良い。そして、屋根部５０を上枠部１１に載せ、係止部材５１を孔部５５，５６に挿通して係止受具５２で留め付ける。この状態で、係止部材５１に吊り下げ具を取り付ければ、照明具１を軒先や支柱から吊り下げて使用することができる。
【００３３】
また、第二透光部２２を使用するときは、図４に示すように、屋根部５０が外されている状態で、第二透光部２２をその下端からスリット部３２ａに挿し込み、スライド溝部３２ｂに沿ってスライドさせ、更に下枠溝部３２ｃに第二透光部２２の下端を挿入する。これにより、スリット部３２ａ、スライド溝部３２ｂ、及び下枠溝部３２ｃで構成される第二保持部に第二透光部２２が保持される。ここで、第二透光部２２として複葉第二透光部２２ｂを使用するときは、例えば、サイズの小さな絵画や墨書、落ち葉、押し花、切り絵細工などを、重ね合わされた二枚の樹脂シート間にはさみ込んでから、上記のように第二保持部に保持させる。
【００３４】
第一透光部２１と第二透光部２２の双方を使用するときは、例えば、雨水によりダメージを受けやすい水彩画や墨書を施した第一透光部２１を第一保持部３１に保持させ、かつ、単葉第二透光部２２ｂを第二保持部に保持させることができる。これにより、単葉第二透光部２２ｂの透明な樹脂シートによって、第一透光部２１の意匠性を損なうことなく、第一透光部２１を雨水から保護することができる。このとき、天候の良い時や屋内で照明具１を使用する場合は、第二透光部２２を使用せず、和紙等の質感を含めて第一透光部２１の意匠を楽しみ、天候の悪い時に屋外で使用す場合にのみ単葉第二透光部２２ｂを取り付けるようにしても良い。
【００３５】
ここで、光源の設置や点灯は、屋根部５０を取り付ける前の段階、或いは第一透光部２１や第二透光部２２を取り付ける前の段階で、枠体１０の開口部から手を差し入れて行うことができるが、第一透光部２１、第二透光部２２や屋根部５０を取り付けた後であっても、底板部４０を開位置に変位させることによって行うことができる。この場合、照明具１を少し持ち上げた状態で固定具４３を外し、底板部４０を辺４２に沿って回動させて閉位置から開位置に変位させれば、ピン４５が枠体１０の下方に露呈するため、ここにろうそくを取り付け、或いは取り付けられたろうそくに火を灯すことが可能となる。なお、本実施形態のように、光源としてろうそくを使用し、底板部４０を木製とする場合は、底板部４０の万一の燃焼を防止するために、ピン４５の周囲にアルミ箔等の金属シートを貼ることが望ましい。また、通気孔４８は複数が設けられているため、アルミ箔等で適宜覆うことにより、空気の流通量を調整することができる。
【００３６】
そして、屋根部５０を取り外せば、上記と逆の手順で、容易に第一透光部２１や第二透光部２２を取り外し、新しいシートへの交換や修理、洗浄等を行うことができる。
【００３７】
以上のように、本実施形態の照明具１によれば、第一透光部２１及び第二透光部２２が着脱自在であるため、例えば、お祭りの開催される季節に合ったデザインを施したものへの取り替えや、スポンサー名や寄進者名の表示の変更を、極めて容易に行うことができ、一つの照明具１で種々の行事に対応することが可能となる。また、行事の期間中であっても、風雨等により透光性シートが汚損した場合、容易に交換、修理等することができ、行事の期間中見栄えの良い状態を維持することが可能となる。そして、照明具１の構成のうち、枠体１０や屋根部５０等の大半の部分は、長期間にわたり繰り返して使用することができるため、資源の無駄や新たな投資の必要性を低減し、廃棄の手間やコストを削減することができる。
【００３８】
更に、一つの照明具１が、第一保持部３１及び第二保持部を共に具備するため、二つの透光部のいずれか一方を使用することも、双方を使用することもでき、デザインの選択性の高いものとなる。また、双方を同時に使用する場合には、二つの透光部の意匠の重ね合わせにより相乗的な効果を発揮させたり、第二透光部２２に第一透光部２１を保護させる役割を奏させたりすることができる。
【００３９】
加えて、第二透光部２２として、複葉第二透光部２２ｂを具備しているため、二枚の透光性シートの間にはさみ込むという極めて容易な操作により、多様な素材を照明具１に使用することが可能となり、使用者が創意工夫を発揮することができる。
【００４０】
また、屋根部５０を具備しているため、屋外での使用にも適した照明具１となると共に、係止部材５１を具備していることにより、吊り下げた状態での使用にも適した照明具１となる。更に、本実施形態の係止部材５１は、屋根部５０を枠体１０に対して着脱自在に固定するための部材を兼ねているため、部品点数を減じてコストを削減することができる。加えて、屋根部５０が折りたたみ自在に構成されているため、照明具１を屋内で使用する場合など、屋根部５０を使用しない際には、取り外された屋根部５０をコンパクトに収納しておくことができる。
【００４１】
更に、本実施形態では、上枠体１０及び下枠部１２を井桁状に組み付け、屋根部５０を切妻風の構成としているため、伝統的な日本のお祭りや、神社仏閣での祭礼に適した和風の雰囲気をかもし出す照明具１となっている。また、本実施形態では、枠体１０や屋根部５０の材料として木材を使用し、金属釘を使用せず竹釘を使用しているため、あたたかみのある落ち着いた外観を呈する照明具１となっている。
【００４２】
加えて、本実施形態の照明具１は、主要部材を木製とし、部材同士の組み付けや連結に金属製の釘や蝶番を使用せずに竹釘や厚布片を用いており、燃え難い材料、腐り難い材料を使用していない。そのため、長期にわたる使用後に最終的に廃棄する際も、環境に与える負荷が低減されるものとなっている。
【００４３】
次に、他の実施形態の照明具２について、図５を用いて説明する。照明具２の構成は、照明具本体２ａと照明具回転部２ｂに大別される。ここで、照明具本体２ａは、上枠部１１、下枠部１２、及び側柱１３により構成された多角柱状の枠体１０と、透光性シートで筒状に形成された第一透光部２１、及び透光性シートで略矩形に形成された第二透光部２２の少なくとも何れか一方と、下枠部１２の内周に沿って凹状に形成され、第一透光部２１を保持可能な第一保持部３１と、上枠部１１に上下に貫通して形成されたスリット部３２ａ、及び隣り合う側柱１３のそれぞれの内側に対向して形成されると共にスリット部３２ａと連通した溝部を有し、第二透光部２２をスライドさせて保持可能な第二保持部とを具備している。すなわち、上記の実施形態の照明具１の構成から、底板部４０、屋根部５０、係止部材５１を除いた構成である。なお、上記の照明具１における構成と同様の構成については、同一の符号を付している。また、図５では、構成を明確化するため、第一透光部２１及び第二透光部２２の図示を省略している。
【００４４】
照明具回転部２ｂは、枠体１０を載置する枠体載置台６０と、枠体載置台６０を回転させるモータと、枠体載置台６０の上面に設けられ、枠体１０を保持する枠体保持部６１と、枠体保持部６１に保持された枠体１０の内部に位置するように、枠体載置台６０の上面に設けられた光源６２とを具備している。
【００４５】
より詳細に説明すると、枠体載置台６０は下枠部１２の対角線より長い直径を有する円板状に形成されている。この枠体載置台６０を回転させるモータ（図示しない）は、枠体載置台６０の下方に配されるモータ収容部５５に収容され、モータの主軸は、モータ収容部５５から上方に延びて枠体載置台６０の底面の中央に取り付けられている。また、枠体保持部６１は、枠体載置台６０の上面に、下枠部１２よりやや大きな形状の底面を有する凹部状に形成されている。更に、光源６２には電球を使用し、枠体保持部６１の底面のほぼ中央に設けられている。
【００４６】
照明具２を使用するにあたっては、上記の実施形態と同様に第一透光部２１及び第二透光部２２の少なくとも何れか一方を、照明具本体２ａに取付ける。そして、照明具本体２ａの下枠部１２を凹状の枠体保持部６１に嵌め込むことにより、照明具本体２ａは枠体保持部６１に安定的に保持される。この状態で、枠体１０の内部に光源６２が位置することとなり、光源６２の電源を入れ、モータを稼働させれば、枠体載置台６０と共に照明具本体２ａが図示矢印Ｒ方向に、時計回り或いは反時計回りに回転する。
【００４７】
上記のような構成の照明具２により、例えば、照明具本体２ａの四つの側面に配される透光性シートに、連続した動きを表現する図柄や、ストーリー性のある図柄を施すことで、回転による意匠の変化を楽しむことができる。或いは、第一透光部２１を第一保持部３１に保持させると共に、四つの第二透光部２２を色の異なる透明なカラーフィルムで構成することにより、第一透光部２１の図柄の色の変化を楽しむことができる。また、第一透光部２１を多彩な色彩のカラーフィルムで形成し、切り絵細工をはさみ込んだ複葉第二透光部２２ｂを第二保持部に取り付けることにより、影絵が回転する幻想的な雰囲気を楽しむことができる。
【００４８】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００４９】
例えば、上記の実施形態では、枠体や屋根部の具体的な形状を例示しているが、もちろんこれに限定されるものではなく、例えば、枠体は、三角柱状、五角柱状、六角柱状、八角柱状等、種々の多角柱状とすることもできる。また、四角柱状の場合でも、断面が長方形の直方体形状、断面が正方形の直方体形状、立方体形状など、種々の形状を取り得る。更に、屋根部も山形の形状に限定されず、例えば、西洋の塔の屋根のような円錐形に形成することもできる。加えて、枠体や屋根部の材料についても、例示した木材に限定されず、照明具の用途や使用場所等に応じて適宜選択することができる。
【００５０】
更に、光源として、照明具１ではろうそく、照明具２では電球を使用する場合を例示したが、これに限定されない。また、照明具２では、屋根部を具備しない場合を例示したが、屋根部を備える照明具本体を回転させる構成としても構わない。加えて、単一の枠体を利用し、照明具１のように底板部を取り付けて使用すると共に、底板部を取り外して、照明具２のような回転式の照明具の照明具本体として使用するというように、兼用することも可能である。
【００５１】
その他、第二透光部として、透明の樹脂シートで単葉第二透光部、複葉第二透光部を形成する場合を例示したが、これに限定されず、和紙や布地等の種々の透光性シートで第二透光部を構成させることができる。
【００５２】
また、透光性シート以外の素材を積極的に使用した照明具としても良い。例えば、枠体内に鏡やプリズムを配し、光の反射によって、透光性シートに施された図柄の立体影像化を試みるなど、より複雑な効果を図ることもできる。
【００５３】
更に、上記では、全体的に和風の外観を呈し、地域のお祭りや神社仏閣の祭礼での使用に適した照明具を例示したが、本発明の照明具の用途は、地域のお祭りや神社仏閣の祭礼に限定されるものではない。例えば、室内照明、バルコニーやベランダの装飾、庭園灯などとしても使用することが可能である。また、枠体を利用して、棚や小物入れ等を適宜取り付け、インテリア家具を兼ねた照明具として使用することもできる。
【図面の簡単な説明】
【００５４】
【図１】本実施形態の照明具の概略構成を示す斜視図である。
【図２】（ａ）は図１の照明具のＡ−Ａ断面図であり、（ｂ）は上枠部の平面図であり、（ｃ）は下枠部の底面図である。
【図３】第一透光部を示す斜視図である。
【図４】図１の照明具の分解斜視図である。
【図５】本考案の照明具の他の実施形態を示す分解斜視図である。
【符号の説明】
【００５５】
１，２  照明具
１０  枠体
１１  上枠部
１２  下枠部
１３  側柱
２１  第一透光部
２２  第二透光部
２２ａ  複葉第二透光部（第二透光部）
３１  第一保持部
３２ａ  スリット部（第二保持部）
３２ｂ  スライド溝部（第二保持部）
３２ｃ  下枠溝部（第二保持部）
４０  底板部
５０  屋根部
５１  係止部材
６０  枠体載置台
６１  枠体保持部
６２  光源
【図１】
0003127835.tif 000003
【図２】
0003127835.tif 000004
【図３】
0003127835.tif 000005
【図４】
0003127835.tif 000006
【図５】
0003127835.tif 000007